(57)【要約】  【課題】本発明の課題は、少ない原稿センサを用いる簡易な構成で、対向する位置に設けられた一方及び他方の基準スケールの何れを基準として原稿がセットされているかを検知できる画像読取装置及びこれを備えた画像形成装置を得ることである。  【解決手段】本発明に係る画像読取装置１において、一方の原稿センサ１９аは一方の基準スケール１７аを基準とした最小原稿領域内に位置し、他方の原稿センサ１９ｂは一方の基準スケール１７аを基準とした最大原稿領域外に位置するようにしている。【選択図】図１
2009124312.tif 000002
【特許請求の範囲】
【請求項１】
コンタクトガラスに載置された原稿の画像を読み取る画像読取装置であって、コンタクトガラスの縁に沿って且つ対向する位置に設けられた一方及び他方の基準スケールと、原稿を検知する一方及び他方の原稿センサと、一方及び他方の基準スケールの何れを基準として原稿がセットされているかを判断する判断部とを備え、一方の原稿センサは一方の基準スケールを基準とした最小原稿領域内に位置し、他方の原稿センサは一方の基準スケールを基準とした最大原稿領域外に位置し、判断部は、一方の原稿センサのみが原稿を検知したときには一方の基準スケールを基準として原稿がセットされていると判断し、他方の原稿センサのみが原稿を検知したときには他方の基準スケールを基準として原稿がセットされていると判断し、一方及び他方の原稿センサが原稿を検知したときには他方の基準スケールを基準として原稿がセットされていると判断することを特徴とする画像読取装置。
【請求項２】
コンタクトガラスに載置された原稿の画像を読み取る画像読取装置であって、コンタクトガラスの縁に沿って且つ対向する位置に設けられた一方及び他方の基準スケールと、原稿を検知する一方及び他方の原稿センサと、一方及び他方の基準スケールの何れを基準として原稿がセットされているかを判断する判断部とを備え、一方の原稿センサは他方の基準スケールを基準とした最大原稿領域外に位置し、他方の原稿センサは一方の基準スケールを基準とした最大原稿領域外に位置し、判断部は、一方の原稿センサのみが原稿を検知したときには一方の基準スケールを基準として原稿がセットされていると判断し、他方の原稿センサのみが原稿を検知したときには他方の基準スケールを基準として原稿がセットされていると判断することを特徴とする画像読取装置。
【請求項３】
一方の基準スケール又は他方の基準スケールを基準に原稿がセットされていることを決定するスイッチが設けられている操作パネルからのスイッチ操作信号を受信すると、判断部は、一方及び他方の原稿センサの検知信号の有無にかかわらずスイッチ操作信号を優先して一方の基準スケール又は他方の基準スケールを基準に原稿がセットされていると判断することを特徴とする請求項１又は２に記載の画像読取装置。
【請求項４】
一方の基準スケール又は他方の基準スケールを基準に原稿がセットされていることを操作パネルに表示することを特徴とする請求項１〜３の何れか一項に記載の画像読取装置。
【請求項５】
判断部から受信した信号を音声により出力する音声出力部とスピーカーとを備え、一方の基準スケール又は他方の基準スケールを基準に原稿がセットされていることを音声によりアナウンスすることを特徴とする請求項１〜４の何れか一項に記載の画像読取装置。
【請求項６】
一方の基準スケールを基準とした原稿サイズ表示と他方の基準スケールを基準とした原稿サイズ表示とを、コンタクトガラスの縁に沿って且つ一方及び他方の基準スケールに直角に設けられたメジャーに併記していることを特徴とする請求項１〜５の何れか一項に記載の画像読取装置。
【請求項７】
一方の基準スケールを基準とした原稿サイズ表示と他方の基準スケールを基準とした原稿サイズ表示とを、識別する識別手段をメジャーに施したことを特徴とする請求項６に記載の画像読取装置。
【請求項８】
請求項１〜７の何れか一項に記載の画像読取装置を備え、この画像読取装置が読み取った原稿の画像を記録媒体に記録することを特徴とする画像形成装置。
【発明の詳細な説明】
【技術分野】
【０００１】
本発明は、コンタクトガラスに載置された原稿の画像を読み取る画像読取装置、及びこの画像読取装置を備えた画像形成装置に関する。
【背景技術】
【０００２】
特許文献１には、コンタクトガラスの全域に亘って原稿センサを敷き詰めて、原稿をコンタクトガラス上のどの位置にセットしても原稿の位置を検知できる画像読取装置が開示されている。
【０００３】
【特許文献１】特開２００３−２５５４７２号公報
【発明の開示】
【発明が解決しようとする課題】
【０００４】
しかしながら、コンタクトガラスに原稿をセットする場合には、操作者からみて奥側（一方）及び手前側（他方）の基準スケールの何れかに原稿端を突き当てて原稿をセットするのが一般的である。
【０００５】
例えば、操作者が健常者の場合には奥側の基準スケールを基準として原稿をセットできれば良く、また操作者が小柄な場合や車椅子を使用している場合（図７参照）には手前側の基準スケールを基準として原稿をセットできれば良く（原稿をセットし易い）、これらが満たされれば一般的な原稿のセットに支障をきたすことは無い。
【０００６】
即ち、これを実現するためには、奥側及び手前側の基準スケールの何れを基準として原稿がセットされているかを検知できれば充分であり、コストと手間をかけてコンタクトガラスの全域に亘って原稿センサを敷き詰める必要性は無い。
【０００７】
本発明は、少ない原稿センサを用いる簡易な構成で、対向する位置に設けられた一方及び他方の基準スケールの何れを基準として原稿がセットされているかを検知できる画像読取装置及びこれを備えた画像形成装置を得ることを目的とする。
【課題を解決するための手段】
【０００８】
前記課題を解決するために、請求項１に記載された発明は、コンタクトガラスに載置された原稿の画像を読み取る画像読取装置であって、コンタクトガラスの縁に沿って且つ対向する位置に設けられた一方及び他方の基準スケールと、原稿を検知する一方及び他方の原稿センサと、一方及び他方の基準スケールの何れを基準として原稿がセットされているかを判断する判断部とを備え、一方の原稿センサは一方の基準スケールを基準とした最小原稿領域内に位置し、他方の原稿センサは一方の基準スケールを基準とした最大原稿領域外に位置し、判断部は、一方の原稿センサのみが原稿を検知したときには一方の基準スケールを基準として原稿がセットされていると判断し、他方の原稿センサのみが原稿を検知したときには他方の基準スケールを基準として原稿がセットされていると判断し、一方及び他方の原稿センサが原稿を検知したときには他方の基準スケールを基準として原稿がセットされていると判断することを特徴とする。
【０００９】
請求項２に記載された発明は、コンタクトガラスに載置された原稿の画像を読み取る画像読取装置であって、コンタクトガラスの縁に沿って且つ対向する位置に設けられた一方及び他方の基準スケールと、原稿を検知する一方及び他方の原稿センサと、一方及び他方の基準スケールの何れを基準として原稿がセットされているかを判断する判断部とを備え、一方の原稿センサは他方の基準スケールを基準とした最大原稿領域外に位置し、他方の原稿センサは一方の基準スケールを基準とした最大原稿領域外に位置し、判断部は、一方の原稿センサのみが原稿を検知したときには一方の基準スケールを基準として原稿がセットされていると判断し、他方の原稿センサのみが原稿を検知したときには他方の基準スケールを基準として原稿がセットされていると判断することを特徴とする。
【００１０】
請求項３に記載された発明は、請求項１又は２に記載の発明において、一方の基準スケール又は他方の基準スケールを基準に原稿がセットされていることを決定するスイッチが設けられている操作パネルからのスイッチ操作信号を受信すると、判断部は、一方及び他方の原稿センサの検知信号の有無にかかわらずスイッチ操作信号を優先して一方の基準スケール又は他方の基準スケールを基準に原稿がセットされていると判断することを特徴とする。
【００１１】
請求項４に記載された発明は、請求項１〜３の何れかに記載の発明において、一方の基準スケール又は他方の基準スケールを基準に原稿がセットされていることを操作パネルに表示することを特徴とする。
【００１２】
請求項５に記載された発明は、請求項１〜４の何れか一項に記載の発明において、判断部から受信した信号を音声により出力する音声出力部とスピーカーとを備え、一方の基準スケール又は他方の基準スケールを基準に原稿がセットされていることを音声によりアナウンスすることを特徴とする。
【００１３】
請求項６に記載された発明は、請求項１〜５の何れか一項に記載の発明において、一方の基準スケールを基準とした原稿サイズ表示と他方の基準スケールを基準とした原稿サイズ表示とを、コンタクトガラスの縁に沿って且つ一方及び他方の基準スケールに直角に設けられたメジャーに併記していることを特徴とする。
【００１４】
請求項７に記載された発明は、請求項６に記載の発明において、一方の基準スケールを基準とした原稿サイズ表示と他方の基準スケールを基準とした原稿サイズ表示とを、識別する識別手段をメジャーに施したことを特徴とする。
【００１５】
請求項８に記載された発明は、請求項１〜７の何れか一項に記載の画像読取装置を備え、この画像読取装置が読み取った原稿の画像を記録媒体に記録することを特徴とする画像形成装置である。
【発明の効果】
【００１６】
本発明によれば、少ない原稿センサを設けた簡易な構成で、対向する位置に設けられた一方及び他方の基準スケールの何れを基準として原稿をセットしたかを判断できる。
【発明を実施するための最良の形態】
【００１７】
以下に、添付図面を参照して、本発明の第１実施の形態を詳細に説明する。図１は本実施の形態に係る画像読取装置の概略的構成を示す側面図あり、原稿が手前側の基準スケールを基準としてセットされている状態を示している。図２は本実施の形態に係る画像読取装置の概略的構成を示す側面図あり、原稿が奥側の基準スケールを基準としてセットされている状態を示している。図３は本実施の形態に係る画像読取装置のコンタクトガラス周辺を抜き出して示す平面図であり、図４は本実施の形態に係る画像形成装置の操作パネルを示す平面図であり、図５は本実施の形態に係る画像読取装置の制御を示す制御ブロック図であり、図６は本実施の形態に係る画像読取装置の制御の流れを示すフローチャートであり、図７は本実施の形態に係る画像形成装置と車椅子を使用した操作者を示す側面図であり、図８は本実施の形態に係る画像形成装置の斜視図である。
【００１８】
本発明の第１実施の形態に係る画像読取装置１は、図８に示すように、画像形成装置３に設けられているものである。画像形成装置３は、複写機であり、画像形成装置本体に対しヒンジにより開閉自在な自動原稿搬送装置（以下、ＡＤＦという）５と、コンタクトガラス１５（図１参照）に載置された原稿Ｓの画像を読み取る画像読取装置１と、画像読取装置１が読み取った原稿Ｓの画像を記録媒体（用紙）に記録する画像形成部７と、記録媒体を画像形成部７に供給する給紙トレイ１１と、画像形成部７により画像を記録された記録媒体を排出する排紙トレイ１３とを備えている。尚、ＡＤＦ５にはＡＤＦ５と共に回動するＡＤＦ５フィラーが設けられており、画像形成装置３本体にはＡＤＦ５フィラーを検知することによりＡＤＦ５の開閉を検知するＡＤＦ５開閉センサが設けられている。ＡＤＦ５の下側には、原稿Ｓをコンタクトガラス１５に押圧する背景板９（図１参照）が設けられている。
【００１９】
画像読取装置１は、図１に示すように、原稿Ｓが載置されるコンタクトガラス１５と、コンタクトガラス１５の縁に沿って設けられた奥側（一方）及び手前側（他方）の基準スケール１７а、１７ｂと、奥側及び手前側の基準スケール１７а、１７ｂに対して直角に設けられたメジャー１８（図３参照）と、原稿Ｓを検知する奥側（一方）及び手前側（他方）の原稿センサ１９а、１９ｂと、奥側の基準スケール１７а及び手前側の基準スケール１７ｂの何れを基準として原稿Ｓがセットされているかを判断する制御部２７とを備えている。尚、画像読取装置１は原稿Ｓの画像を読み取るスキャナ等も備えるが図示とその説明は省略する。
【００２０】
図３に示すように、奥側及び手前側の基準スケール１７а、１７ｂは対向する位置に設けられている。メジャー１８には、奥側の基準スケール１７аを基準とした一方の原稿サイズ表示２０аと、手前側の基準スケール１７ｂを基準とした他方の原稿サイズ表示２０ｂとが併記されている。一方の原稿サイズ表示２０аと他方の原稿サイズ表示２０ｂには、各々異なる色（例えば、一方の原稿サイズ表示２０ｂが赤で他方の原稿サイズ表示２０ｂが白）が着色されていている（識別手段）。
【００２１】
図１及び図３に示すように、原稿センサ１９аは、コンタクトガラス１５に対向し（コンタクトガラス１５の下方に）且つ奥側の基準スケール１７аを基準とした最小原稿領域内（Ａ５サイズの原稿Ｓが占める領域内）に位置し、手前側の原稿センサ１９ｂはコンタクトガラス１５に対向し（コンタクトガラス１５の下方に）且つ奥側の基準スケール１７аを基準とした最大原稿領域外（Ａ３サイズの原稿Ｓが占める領域外）に位置している。
【００２２】
図４に示すように、画像形成装置３本体に設けられた操作パネル２５には、奥側（一方）の基準スケール１７аを基準として原稿Ｓがセットされているか又は手前側（他方）の基準スケール１７ｂを基準として原稿Ｓがセットされているかを操作者が任意に決定できる奥側モードスイッチ２９а及び手前側モードスイッチ２９ｂと、奥側又は手前側の基準スケール１７а、１７ｂのうち操作者が原稿端Ｔを突き当てた側の基準スケールを基準として原稿Ｓがセットされていると自動的に判断する自動モードスイッチ２９ｃとが設けられている。
【００２３】
また、操作パネル２５の操作画面３１には、奥側及び手前側の基準スケール１７а、１７ｂの何れを基準として原稿Ｓがセットされているかを制御部２７が判断したときに、各々奥側モード表示３３а及び手前側モード表示３３ｂが表示されるようになっている。尚、図４においては、奥側モード表示３３аが表示されている。
【００２４】
制御部２７は、図４及び図５に示すように、奥側及び手前側の原稿センサ１９а、１９ｂからの検知信号と操作パネル２５の各スイッチ２９а、２９ｂ、及び２９ｃからの操作信号とを受信する受信部３５と、受信部３５からの検知情報に基づき原稿読取モードを通常読み取りモードとＡＤＦ読取モードとの何れかに決定する読取モード決定部３６と、受信部３５からの情報に基づき奥側及び手前側の基準スケール１７а、１７ｂの何れを基準として原稿Ｓがセットされているかを判断する判断部３７と、判断部３７の判断結果を音声により出力する音声出力部２８とを備えている。尚、通常読取モードとは、原稿Ｓをコンタクトガラス１５にセットして原稿Ｓの画像を読み取るモードであり、ＡＤＦ読取モードとは、ＡＤＦ５に内蔵された画像読取部で原稿Ｓの画像を読み取るモードである。
【００２５】
判断部３７は、読取モード決定部３６が読取モードを通常読取モードに決定したときにのみ奥側又は手前側の基準スケール１７а、１７ｂの何れを基準として原稿Ｓがセットされているかを判断する。
【００２６】
音声出力部２８は、判断部３７に接続されており、判断部３７が奥側及び手前側の基準スケール１７а、１７ｂの何れを基準として原稿Ｓがセットされているかを判断したときに、これを音声により出力して、スピーカー２３で操作者にアナウンス（例えば、手前側を基準にセットされています等）する。尚、スピーカー２３は音声出力部２８に接続されている。
【００２７】
以下に、本実施の形態に係る画像形成装置の動作を説明する。先ずＡＤＦ５を開いて、画像読取装置１上のコンタクトガラス１５に原稿Ｓをセットする。コンタクトガラス１５に原稿Ｓをセットするときには、原稿Ｓの角を奥側の基準スケール１７аとメジャー１８との接点Ｐ１（図３参照）に合わせるか又は原稿Ｓの角を手前側の基準スケール１７ｂとメジャー１８との接点Ｐ２（図３参照）に合わせて原稿Ｓをコンタクトガラス１５に載置する。原稿Ｓをセットしたら、ＡＤＦ５を閉じて操作パネル２５のスタートボタン２６を押す。これにより、画像読取開始信号を受信した画像読取装置１は原稿Ｓの画像を読み取る。一方、記録媒体は給紙トレイ１１から画像形成部７に搬送される。画像形成部７において記録媒体には画像読取装置１で読み取られた原稿Ｓの画像が記録される。画像が記録された記録媒体は排紙トレイ１３に排出される。
【００２８】
次に、操作パネル２５の自動モードスイッチ２９ｃを入れた場合に、奥側及び手前側の基準スケール１７а、１７ｂの何れを基準として原稿Ｓがセットされているかを判断する制御の流れを、図１、図２、及び図６を用いて説明する。
【００２９】
ＡＤＦ５を閉じると（Ｓ１）、ＡＤＦ５フィラーが画像形成装置３本体のＡＤＦ５開閉センサを遮断する（Ｓ２）。
【００３０】
図２に示すように、奥側の基準スケール１７аに原稿端Ｔ１を突き当てた状態でコンタクトガラス１５に原稿Ｓが載置されているときは、手前側の原稿センサ１９ｂは原稿Ｓを検知せず（Ｓ３でＮＯ）、奥側の原稿センサ１９аは原稿Ｓを検知する（Ｓ５でＹＥＳ）。そこで、判断部３７は奥側の基準スケール１７аを基準として原稿Ｓがセットされていると判断する（Ｓ６）。一方、図１に示すように、手前側の基準スケール１７ｂに原稿端Ｔ２を突き当てた状態でコンタクトガラス１５に原稿Ｓが載置されているときは、手前側の原稿センサ１９ｂは原稿Ｓを検知する（Ｓ３でＹＥＳ）。そこで、判断部３７は、手前側の基準スケール１７ｂを基準として原稿Ｓがセットされていると判断する（Ｓ４）。
【００３１】
また、ＡＤＦを閉じた時点で（Ｓ２）、コンタクトガラス１５に原稿Ｓがセットされていないときは、手前側及び奥側の原稿センサ１９а、１９ｂの何れも原稿Ｓを検知しない（Ｓ３でＮＯ、Ｓ５でＮＯ）。そこで、読取モード決定部３６は、原稿読取モードをＡＤＦ５読取モードに決定する（Ｓ７）。
【００３２】
操作パネル２５の奥側モードスイッチ２９а又は手前側モードスイッチ２９ｂを入れた場合、判断部３７は、奥側及び手前側の原稿センサ１９а、１９ｂからの検知信号の有無に関わらずスイッチ操作信号を優先して、各々奥側の基準スケール１７а又は手前側の基準スケール１７ｂを基準として原稿Ｓがセットされていると判断する。
【００３３】
以下に、本実施の形態の作用効果を説明する。本実施の形態によれば、奥側（一方）の原稿センサ１９а及び手前側（他方）の原稿センサ１９ｂを設けた簡易な構成で、対向する位置に設けられた奥側及び手前側の基準スケール１９а、１９ｂの何れを基準として原稿Ｓがセットされているかを判断できる。
【００３４】
従って、奥側又は手前側の基準スケール１７а、１７ｂのうち、操作者が原稿Ｓをセットし易い方の基準スケールを基準として原稿Ｓをセットすることができる。例えば、操作者が健常者の場合には奥側の基準スケール１７аを基準として原稿Ｓをセットし、操作者が車椅子を使用している場合（図７参照）や小柄な場合には手前側の基準スケール１７ｂを基準として原稿Ｓをセットすることができる。
【００３５】
各原稿センサ１９а、１９ｂの検知情報（信号）よりも、操作パネル２５のスイッチ操作が優先するので、操作パネル２５で奥側又は手前側の基準スケール１７а、１７ｂの何れを基準としたかを決定することにより、奥側及び手前側の原稿センサ１９а、１９ｂの双方が検知するような規格外の大きな原稿Ｓの画像を奥側の基準スケール１７аを基準として原稿Ｓがセットされていると判断することができ、且つ、奥側及び手前側の原稿センサ１９а、１９ｂの何れもが検知しないような規格外の小さな原稿Ｓの画像を奥側又は手前側の基準スケール１７а、１７ｂの何れかを基準として原稿Ｓがセットされていると判断することができる。
【００３６】
操作パネル２５の操作画面３１に奥側モード表示３３а又は手前側モード表示３３ｂが表示されることにより、奥側の基準スケール１７а及び手前側の基準スケール１７ｂの何れを基準として原稿Ｓがセットされているかを操作画面３１を見て確認できる。従って、原稿Ｓを誤って意図しない側にセットして原稿Ｓの画像を読み取ることを防止できる。
【００３７】
奥側の基準スケール１７а及び手前側の基準スケール１７ｂの何れを基準として原稿Ｓがセットされているかを、音声により確認できる。従って、原稿Ｓを誤って意図しない側にセットして原稿Ｓの画像を読み取ることを防止できる。
【００３８】
メジャー１８に奥側の基準スケール１７аを基準とした原稿サイズ表示２０а及び手前側の基準スケール１７ｂを基準とした原稿サイズ表示２０ｂが併記されているので、奥側の基準スケール１７а又は手前側の基準スケール１７の何れを基準としても容易に原稿サイズに応じた原稿セットができる。
【００３９】
各原稿サイズ表示２０а、２０ｂに異なる色が着色（識別手段）されているので、奥側の基準スケール１７аを基準とした原稿サイズ表示２０аと手前側の基準スケール１７ｂを基準とした原稿サイズ表示２０ｂとの識別が容易であり、確実且つ容易に原稿サイズに応じた原稿セットができる。
【００４０】
本実施の形態によれば、本実施の形態と同様な効果を奏する画像読取装置を備えた画像形成装置を提供できる。
【００４１】
以下に、本発明の他の実施の形態を説明するが、以下の説明において、上述した第１実施の形態と同一の作用効果を奏する部分には同一の符号を付することにより、その部分の詳細な説明を省略し、以下の説明では上述の第１実施の形態と異なる点を主に説明する。
【００４２】
第２実施の形態では、画像読取装置１に奥側及び手前側の原稿センサ１９а、１９ｂを設けておらず、操作パネル２５に自動モードスイッチ２９ｃを設けていない。
【００４３】
即ち、操作パネル２５の奥側モードスイッチ２９а又は手前側モードスイッチ２９ｂを入れることによって、受信部３５がスイッチ操作信号を受信して、判断部３７が奥側の基準スケール１７аを基準として原稿Ｓがセットされているか又は手前側の基準スケール１７ｂを基準として原稿Ｓがセットされているかを判断する。
【００４４】
本実施の形態によれば、操作パネル２５の各スイッチ２９а、２９ｂを操作することにより、奥側の基準スケール１７а又は手前側の基準スケール１７ｂを基準として原稿Ｓがセットされていることを決定できるので、原稿センサや特別な制御を必要とせず、第１実施の形態よりも低コスト化を図ることができる。
【００４５】
本発明は、上述した実施の形態に限定されること無く、その要旨を逸脱しない範囲で種々変形可能である。
【００４６】
第１実施の形態では、一方及び他方の基準スケール１７а、１７ｂを操作者からみて奥側及び手前側に設けて且つ一方及び他方の原稿センサ１９а、１９ｂを操作者からみて奥側及び手前側に設けているが、これに代えて、一方及び他方の基準スケール１７а、１７ｂを操作者からみて右側及び左側に設けて且つ一方及び他方の原稿センサ１９а、１９ｂを操作者からみて右側及び左側に設けても良い。
【００４７】
第１実施の形態では、奥側の原稿センサ１９аを奥側の基準スケール１７аを基準とした最小原稿領域内に配置し、手前側の原稿センサ１９ｂを奥側の基準スケール１７аを基準とした最大原稿領域外に配置しているが、これに代えて、手前側の原稿センサ１９ｂを手前側の基準スケール１７ｂを基準とした最小原稿領域内（Ａ５サイズの原稿Ｓが占める領域内）に配置し、奥側の原稿センサ１９аを手前側の基準スケール１７ｂを基準とした最大原稿領域外（Ａ３サイズの原稿Ｓが占める領域外）に配置しても良い。
【００４８】
第１実施の形態では、奥側の原稿センサ１９аを奥側の基準スケール１７аを基準とした最小原稿領域内に配置しているが、これに代えて、奥側の原稿センサ１９аを手前側の基準スケール１７ｂを基準とした最大原稿領域外（Ａ３サイズの原稿Ｓが占める領域外）に配置しても良い。これにより、奥側の原稿センサ１９аのみが原稿Ｓを検知したときは奥側の基準スケール１７аを基準として原稿Ｓがセットされていると判断でき、手前側の原稿センサ１９ｂのみが原稿Ｓを検知したときは手前側の基準スケール１７ｂを基準として原稿Ｓがセットされていると判断できるので、第１実施の形態よりも簡単な制御で、奥側の基準スケール１７а又は手前側の基準スケール１７ｂの何れを基準として原稿Ｓがセットされているかを判断できる。更に、奥側及び手前側の原稿センサ１９а、１９ｂの間にもう１つの原稿センサ１９ｃを設ければ、原稿センサ１９а、１９ｃが原稿Ｓを検知した場合には奥側の基準スケール１７аを基準として原稿Ｓがセットされていると判断でき、原稿センサ１９ｂ、１９ｃが原稿Ｓを検知した場合には手前側の基準スケール１７ｂを基準として原稿Ｓがセットされていると判断できる。
【００４９】
第１実施の形態では、操作パネル２５に奥側モードスイッチ２９а、手前側モードスイッチ２９ｂ、及び自動モードスイッチ２９ｃを設けているが、これに限らず、奥側及び手前側モードスイッチ２９а、２９ｂのみを設けても良いし、又は自動モードスイッチ２９ｃのみを設けても良い。
【００５０】
上述の実施の形態では、操作パネル２５を画像形成装置３本体に設けているが、これに代えて、操作パネル２５を画像読取装置１に設けても良い。
【００５１】
上述の実施の形態では、原稿サイズ表示２０а、２０ｂ同士の識別手段として、各原稿サイズ表示２０а、２０ｂを相異なる色に着色しているが、これに代えて、例えば、一方の原稿サイズ表示２０аの目盛りを太字で表示して、他方の原稿サイズ表示２０ｂの目盛りを細字で表示しても良い。
【図面の簡単な説明】
【００５２】
【図１】第１実施の形態に係る画像読取装置の概略的構成を示す側面図あり、原稿が手前側の基準スケールを基準としてセットされている状態を示している。
【図２】第１実施の形態に係る画像読取装置の概略的構成を示す側面図あり、原稿が奥側の基準スケールを基準としてセットされている状態を示している。
【図３】第１実施の形態に係る画像読取装置のコンタクトガラス周辺を抜き出して示す平面図である。
【図４】第１実施の形態に係る画像形成装置の操作パネルを示す平面図である。
【図５】第１実施の形態に係る画像読取装置の制御を示す制御ブロック図である。
【図６】第１実施の形態に係る画像読取装置の制御の流れを示すフローチャートである。
【図７】第１実施の形態に係る画像形成装置と車椅子を使用した操作者を示す側面図である。
【図８】図８は第１実施の形態に係る画像形成装置の斜視図である。
【符号の説明】
【００５３】
１                      画像読取装置
３                      画像形成装置
１５                    コンタクトガラス
１７а、１７ｂ          奥側（一方）の基準スケール、手前側（他方）の基準スケール
１８                    メジャー
１９а、１９ｂ          奥側（一方）の原稿センサ、手前側（他方）の原稿センサ
２０а、２０ｂ          一方の原稿サイズ表示、他方の原稿サイズ表示
２３                    スピーカー
２５                    操作パネル
２７                    制御部
２８                    音声出力部
２９а、２９ｂ、２９ｃ  奥側モードスイッチ（スイッチ）、手前側モードスイッチ（スイッチ）、自動モードスイッチ（スイッチ）
３７                    判断部
Ｓ                      原稿
Ｔ                      原稿端
Ｔ１                    原稿端
Ｔ２                    原稿端
Ｐ１                    奥側（一方）の基準スケールとメジャーとの接点
Ｐ２                    手前側（他方）の基準スケールとメジャーとの接点
【図１】
2009124312.tif 000003
【図２】
2009124312.tif 000004
【図３】
2009124312.tif 000005
【図４】
2009124312.tif 000006
【図５】
2009124312.tif 000007
【図６】
2009124312.tif 000008
【図７】
2009124312.tif 000009
【図８】
2009124312.tif 000010